(57)【要約】【課題】複写防止の地紋処理がなされた原稿を複写する場合に、ユーザが意図せずに潜像が欠落してしまうことを防ぐ複写装置を得る。【解決手段】原稿を読み取ることにより取得した第１の画像データと、第１の画像データに基づいて画像を形成された用紙を読み取ることにより取得した第２の画像データ、に対してそれぞれ複写防止の潜像を抽出する画像処理を行い、画像処理後の、第１の画像データと第２の画像データを比較して両者の異同を判定する。【選択図】図３
2008177890.tif 000002
【特許請求の範囲】
【請求項１】
原稿を読み取ることにより取得した第１の画像データに基づいて用紙に画像を形成する画像形成手段と、
前記画像形成手段により画像が形成された用紙を読み取り第２の画像データを取得する読取手段と、
前記第１の画像データと前記第２の画像データに対してそれぞれ複写防止の潜像を抽出する画像処理を行い、画像処理後の、第１の画像データと第２の画像データを比較して両者の異同を判定する画像判定手段と、
を有することを特徴とする複写装置。
【請求項２】
前記画像判定手段が両者を異なると判定したときに警告通知を行う警告通知手段を有することを特徴とする請求項１に記載の複写装置。
【請求項３】
前記潜像を抽出する画像処理は、背景下地の除去処理を含むことを特徴とする請求項１又は２に記載の複写装置。
【請求項４】
前記潜像を抽出する画像処理は、ＯＣＲ処理を含むことを特徴とする請求項１又は２に記載の複写装置。
【請求項５】
前記読取手段は、画像を形成した用紙を排出する排出口よりも用紙搬送方向上流側に配置されていることを特徴とする請求項１乃至４のいずれか１項に記載の複写装置。
【請求項６】
前記複写装置は、原稿の読み取りを行う原稿読取手段を有し、
該原稿読取手段と前記読取手段とは共通のイメージセンサを用いることを特徴とする請求項１乃至５のいずれか１項に記載の複写装置。
【請求項７】
前記画像判定手段の画像処理により、前記第１の画像データに潜像が含まれていると判断した場合に、前記読取手段により、前記画像形成手段により画像形成された用紙の読み取りを行わせることを特徴とする１乃至６のいずれか１項に記載の複写装置。
【発明の詳細な説明】
【技術分野】
【０００１】
本発明は、原稿から読み取った画像データに基づいて用紙に画像形成を行う複写装置に関し、特に複写防止の地紋処理が施された原稿から読み取った画像データに基づいて用紙に画像形成を行う複写装置に関する。
【背景技術】
【０００２】
近年、電子写真方式の複写機は、カラー化、高画質化が図られており、これらの複写装置を用いることにより、原稿とは簡単に見分けがつかない、複写物を容易に入手することが可能となっている。
【０００３】
原稿に対して複写物が同一（に近い）であるかを判断するものとしては、特許文献１では、原稿を読み取った「原稿の画像データ」と、原稿の画像を複写紙上に形成し、その複写紙上の画像を読み取った「複写紙上の画像データ」とを比較し、出力した複写紙に形成された画像に、欠損やかすれがないかを検出する機能を備えた画像形成装置が開示されている。
【０００４】
特許文献１に開示された複写装置は原稿と同等の複写物を出力したい場合には有効であるが、一方で、原稿に対して同一の複写物を出力したくない場合がある。例えば複写防止の機密書類を意図せずに複写する場合である。企業等においては、機密書類の管理はセキュリティ管理として重要度を増してきており、機密書類の偽造、不正コピーを防止する技術が必要になってきている。これら機密書類の不正コピーを防止する一つの方法として、あらかじめ複写防止の地紋処理を行った用紙に画像形成をするという方法がある。
【０００５】
「複写防止の地紋処理」とは一様な濃度のカモフラージュのための背景模様に、解像度が異なる網点等で形成されたほぼ同一の濃度の潜像を重ねたものである。このような地紋処理がなされた原稿においては、人間の目には、背景模様と潜像とは一体の単なる地紋模様として認識されるが、複写機等によりコピーを行うと、解像度の違いによりコピー再現性に差が生じるため、潜像画像あるいは潜像文字が浮かび上がってくる（顕在化）ものである（特許文献２参照）。
【０００６】
図１２は、複写防止の地紋処理の効果を説明する図である。図１２（ａ）は複写防止の地紋処理がなされた原稿であり、潜像文字を大きな網点ドットで、背景模様を小さな微細網点ドットで、形成しているが、両者はほぼ同等の濃度になるようにしているので、潜像文字は背景に紛れて視認できない。図１２（ｂ）は図１２（ａ）の原稿を複写機でコピーしたものである。微細な網点ドットは再現できずに白く抜け、大きな網点ドットで形成した潜像文字「複写禁止」は濃度が維持されるので顕在化してくる。そして潜像の文字をこのような「複写禁止」等とすることにより、複写を行った者に、機密書類であることを認識させ、複写防止の牽制効果を与えることができる。
【特許文献１】特開２００４−８５６６８号公報
【特許文献２】特開平１０−２７８４０８号公報
【発明の開示】
【発明が解決しようとする課題】
【０００７】
しかし、近年、複写機の性能向上により、前述の潜像文字部の微細な網点ドットも比較的忠実に再現できるようになってきている。このような場合には前述の複写防止の地紋処理をした原稿であっても、複写装置の出力の設定によっては、複写防止の意図に反して、潜像文字が顕在化せずに背景模様に紛れたまま、背景模様と同化してしまうという問題があり、複写を行うユーザに対して複写防止の牽制効果を与えることができない。
【０００８】
本発明は上記問題に鑑み、複写防止の地紋処理がなされた原稿を複写する場合に、ユーザが意図せずに潜像が欠落してしまうことを防ぐ複写装置を得ることを目的とするものである。
【課題を解決するための手段】
【０００９】
上記の目的は、下記に記載する発明により達成される。
【００１０】
（１）原稿を読み取ることにより取得した第１の画像データに基づいて用紙に画像を形成する画像形成手段と、前記画像形成手段により画像が形成された用紙を読み取り第２の画像データを取得する読取手段と、前記第１の画像データと前記第２の画像データに対してそれぞれ複写防止の潜像を抽出する画像処理を行い、画像処理後の、第１の画像データと第２の画像データを比較して両者の異同を判定する画像判定手段と、を有することを特徴とする複写装置。
【００１１】
（２）前記画像判定手段が両者を異なると判定したときに警告通知を行う警告通知手段を有することを特徴とする（１）に記載の複写装置。
【００１２】
（３）前記潜像を抽出する画像処理は、背景下地の除去処理を含むことを特徴とする（１）又は（２）に記載の複写装置。
【００１３】
（４）前記潜像を抽出する画像処理は、ＯＣＲ処理を含むことを特徴とする（１）又は（２）に記載の複写装置。
【００１４】
（５）前記読取手段は、画像を形成した用紙を排出する排出口よりも用紙搬送方向上流側に配置されていることを特徴とする（１）乃至（４）のいずれかに記載の複写装置。
【００１５】
（６）前記複写装置は、原稿の読み取りを行う原稿読取手段を有し、該原稿読取手段と前記読取手段とは共通のイメージセンサを用いることを特徴とする（１）乃至（５）のいずれかに記載の複写装置。
【００１６】
（７）前記画像判定手段の画像処理により、前記第１の画像データに潜像が含まれていると判断した場合に、前記読取手段により、前記画像形成手段により画像形成された用紙の読み取りを行わせることを特徴とする（１）乃至（６）のいずれかに記載の複写装置。
【発明の効果】
【００１７】
本発明によれば、複写防止の地紋処理がなされた原稿を複写する場合に、複写用紙の画像データを原稿の画像データと比較することによりユーザが意図せずに潜像が欠落してしまうことを防ぐ複写装置を得ることができる。
【発明を実施するための最良の形態】
【００１８】
本発明を実施の形態に基づいて説明するが、本発明は該実施の形態に限られない。
【００１９】
図１は、本実施形態に係る複写装置の中央断面図である。複写装置Ａは、タンデム型カラー複写装置と称せられるもので、画像形成部Ａ４、原稿読取部１、操作表示部２、自動原稿送り装置Ｄ、読取部５０を有する。
【００２０】
画像形成部Ａ４は画像書き込み部３、複数組の画像作成部４Ｙ（イエロー），４Ｍ（マゼンタ），４Ｃ（シアン），４Ｋ（ブラック）と、ベルト状の中間転写体４２と給紙カセット５、給紙手段６、排紙部７、自動両面コピー給紙部９、定着装置１０、を有する。
【００２１】
画像作成部４（４Ｙ、４Ｍ、４Ｃ、４Ｋ）は現像手段を有しており、それぞれイエロー（Ｙ）、マゼンタ（Ｍ）、シアン（Ｃ）及び黒（Ｋ）の各色の小粒径のトナーとキャリアからなる２成分現像剤を内包する。
【００２２】
複写装置Ａの上部には、自動原稿送り装置Ｄが搭載されている。自動原稿送り装置Ｄの原稿台上に載置された原稿は矢印方向に搬送され、ランプ１Ｂにより光照射された原稿画像は、光学系により原稿の片面又は両面の画像が読み取られ、ＣＣＤのイメージセンサ１Ａに読み込まれる。
【００２３】
イメージセンサ１Ａにより光電変換されたアナログ信号は、後述の制御部において、アナログ処理、Ａ／Ｄ変換、シェーディング補正、画像圧縮処理等を行った後、画像データとして、記憶部に記憶される、あるいは、画像書き込み部３に信号を送る。
【００２４】
画像書き込み部３においては、半導体レーザからの出力光が感光体ドラム４１（Ｍ、Ｃ、Ｋについては参照符号を省略）に照射され、潜像を形成する。画像形成部Ａ４においては、帯電、露光、現像、転写、分離、クリーニング等の処理が行われる。画像作成部４で形成された各色のトナー画像は、回転する中間転写体４２上に一次転写手段により逐次転写されて、合成されたカラー画像が形成される。
【００２５】
中間転写体４２上のトナー画像は転写手段４３により、給紙カセット５から給紙手段６により搬送された用紙Ｓに転写される。トナー画像を担持した用紙Ｓは、定着装置１０により定着され、排紙部７の排紙口７１から機外に排出され排紙皿８に載置される。あるいは図示しない搬送路切替ゲートにより両面搬送経路９に送り込まれた片面画像処理済みの用紙Ｓは再び画像形成部Ａ４において、両面画像処理後、排紙部７の排紙口７１から排出され、排紙皿８に載置される。
【００２６】
読取部（読取手段）５０は、ＣＭＯＳを用いたライン上の密着イメージセンサ（ＣＩＳ）を搬送路に配置したものであり、等倍光学方式の読取部である。読取部５０により、画像形成部Ａ４で画像形成された（複写された）用紙上の画像の読み取りを行い、第２の画像データを取得する。なお、読取部５０は、排紙口７１よりも用紙搬送方向上流側に配置しているので、生産性を落とさずに画像形成された用紙の読み取りを行うことができる。
【００２７】
図２は、複写装置の制御ブロック図である。同図では本実施形態の動作説明に必要な部分の周囲を中心に記載してあり、その他の複写装置として既知の部分については省略してある。また図１と共通する構成部に関しては同符号を付しており説明を省略する。
【００２８】
Ａ１は、制御部であり、ＣＰＵ（Ａ１１）、システムメモリＡ１２、画像処理部Ａ１３からなる。システムメモリＡ１２に記憶してある各種プログラムをＣＰＵ（Ａ１１）が実行することにより各種制御を行う。画像処理部Ａ１３では、画像データに対して、複写防止の潜像を抽出する画像処理を行う、画像処理の具体例については後述する。なおこの制御部Ａ１が画像判定手段として機能する。
【００２９】
本稿においては、「地紋処理された原稿」とは、繰り返しパターンの背景模様を印刷された原稿のことであり、「複写防止の地紋処理がされた原稿」とは、その背景模様をカモフラージュ模様として、その一部に「潜像」を紛れ込ませた原稿のことを意味する。また「潜像」には、その外形を文字形状とした「潜像文字」と、会社のロゴ等の意匠をかたどった「潜像画像」が含まれるものとする。
【００３０】
本実施例では、「背景模様」は微細な網点で形成されており、「潜像」はそれよりも粗い網点で形成しているので、複写機の出力設定の条件により、「背景模様」は再現されずに、「潜像」が顕在化してくる。もちろんこれに限られず、「潜像」を微細な網点で、「背景模様」を粗い網点で形成することにより「潜像」が再現されずに、白く抜けることにより「潜像」がネガ画像として顕在化する複写防止の地紋処理であってもよい。
【００３１】
Ａ２は画像メモリであり、ＤＲＡＭ（Ｄｙｎａｍｉｃ  Ｒａｎｄｏｍ  Ａｃｃｅｓｓ  Ｍｅｍｏｒｙ）または、ＤＲＡＭとＨＤＤ（ｈａｒｄ  ｄｉｓｋ  ｄｒｉｖｅ）、からなる。画像メモリＡ２は、原稿読取部１から読み込んだ、第１の画像データ、及び読取部５０から読み込んだ第２の画像データを記憶する記憶部として機能する。
【００３２】
Ａ３は、通信部であり、ネットワークを介してパーソナルコンピュータ、ワークステーション等、の外部装置ＰＣや、外部の読取装置と接続する。また通信部Ａ３を介すことにより、外部の読取装置で「原稿を読み込むことにより取得した画像データ」を第１の画像データとして取得することも可能である。
【００３３】
操作表示部２は、液晶ディスプレイの表示部と、表示部に重ねて配置されているタッチパネル部、マウス、キーボード等からなる操作部と、スピーカ部と音源部を有する。音源部は、ＰＣＭ方式（パルス符号変調）で作成した警告音データを記憶し、制御部Ａ１からの制御信号に従って、音信号に変換してスピーカ部から警告音を発音する。制御部Ａ１が制御することにより、操作表示部２は表示部に警告表示を行い、スピーカ部からは警告音を発することにより、警告通知部（警告通知手段）として機能する。
【００３４】
図３は、実施形態に係る複写装置の制御フローを示す図である。先ずステップＳ１１で、原稿読取部１により（複写防止の地紋処理が施された）原稿の読み取りを行い「第１の画像データ」を取得する（ステップＳ１２）。得られた第１の画像データは、出力設定に応じて変換される（ステップＳ１３）。ここでいう出力設定とは、ユーザが複写装置の出力の条件を選択することであり、例えば高解像度等の解像度の設定、写真原稿、文字原稿等の原稿種類の設定、濃度の設定、のことである。画像形成部Ａ４では、ステップＳ１３で変換した第１の画像データに基づいて用紙に画像形成を行う（ステップＳ１４）。画像形成された用紙は、その画像面の読み取り（スキャン）を排紙口７１付近にある読取部５０で行い（ステップＳ２１）、「第２の画像データ」を取得する（ステップＳ２２）。
【００３５】
一方、ステップＳ１２で得られた、（変換前の）第１の画像データは、画像メモリＡ２に記憶される（ステップＳ２４）。
【００３６】
ステップＳ２３ａ、２３ｂでは第１の画像データと第２の画像データに対して、それぞれ潜像抽出の画像処理を行う。画像処理に関しては後述する。画像処理後の第１の画像データと、画像処理後の第２の画像データ、とを比較（ステップＳ３１）して両者の異同を判定する（ステップＳ３２）。なお、この画像処理および判定は、制御部（画像判定部）Ａ１の画像処理部Ａ１３及びＣＰＵ（Ａ１１）により実行される。
【００３７】
抽出した潜像が異なると判定した場合には（ステップＳ３２のＹｅｓ）、操作表示部２に警告通知を行う（ステップＳ３３）。図４は、操作表示部２の表示画面の詳細図であり、警告通知として、表示画面に警告文を表示した例を示したものである。なお、警告表示の代わりに、あるいは警告表示とともに、スピーカ部からビープ音の様な警告音を発音させてもよい。
【００３８】
なお、「抽出した潜像が異なる」とは、複写防止の地紋処理された原稿を読み取った第１の画像データには潜像は存在していたが、複写した後の第２の画像データでは、その潜像が、背景部と同化してしまい、潜像として抽出できなくなった場合のことである。このような場合には、潜像が消失（欠落）しないように、（ステップＳ１３等の）出力設定の変更をユーザに促すようにする。
【００３９】
一方、抽出した潜像が異ならない、つまり同一だと判断した場合には（ステップＳ３２のＮｏ）終了する。この場合には複写防止の潜像は欠落せずに顕在化しているので、その機能を発揮していることになる。
【００４０】
［潜像抽出の画像処理］
次に潜像抽出の画像処理について説明を行う。図５は、潜像抽出の画像処理のサブルーチン処理を示す図である。同図に示す制御フローは図３のステップＳ２３ａ、Ｓ２３ｂに対応する。まず、第１の画像データあるいは第２の画像データ（以下、両者を単に画像データと称する）に対して、下地除去処理（ステップＳ２３１）を行う。
【００４１】
「下地除去処理」とは、地肌除去処理とも称されるものであり、画像データのうち一定濃度以下の淡い濃度を所定の濃度値、例えば濃度ゼロに変換することにより、下地を白に飛ばしてしまうことをいう。具体的には、図６に示すような濃度分布（輝度分布）のヒストグラムを作成し、下地画像と推定される濃度値が低い（輝度が高い）領域の分布のピーク値よりも少し高い濃度値をスレッシュホールド（ｔｈ）に設定する。このスレッシュホールド（ｔｈ）に基づいて図７に示すような濃度変換のγ（ガンマ）カーブを設定して、スレッシュホールド（ｔｈ）以下の濃度値は全て濃度値ゼロに変換する。
【００４２】
なお、本実施形態においては、下地除去処理としてヒストグラムを用いた濃度変換の例を説明したが、これに限られず、ヒストグラムを求めずに、所定のγカーブをあらかじめ設定し、例えば低濃度部を白に飛ばして高濃度部が強調されるようなγカーブ、を用いて変換してもよく、あるいは所定の中間濃度をスレッシュホールドとして濃度の二値化を行ってもよい。
【００４３】
続いて、ステップＳ２３２では、網点処理を行う。網点処理としては、画像データに対して（１）周波数変換処理を行い、その得られた周波数データに対して（２）フィルターをかけてから（３）周波数逆変換処理を行っている。
【００４４】
本実施形態においては、周波数変換処理としてＦＦＴ（高速フーリエ変換）を用いている。網点領域では、低周波の成分はほとんどなく、ある一定の周波数に偏った分布となるので、その周波数以外を除去処理することにより、網点領域の抽出を行うことができる。また、複写防止の地紋処理がなされている場合においては、その背景部と潜像部とで異なる周波数にピークを持つ分布を示すことになるので、周波数分布を解析することにより、複写防止の地紋処理がなされているかを判定することも可能である。なお、処理の効率化を図るために、周波数変換処理に先だって画像データの画像領域を適当な画像サイズに分割している。
【００４５】
網点領域が残るように、特定の周波数を通すようなフィルター、例えばハイパスフィルタあるいはバンドパスフィルタ、をかけた後にＩＦＦＴ（高速フーリエ逆変換）の様な周波数逆変換処理をすることにより、網点画像データが強調された、つまり網点が抽出された画像データを得ることができる。
【００４６】
ステップＳ２３３では、ＯＣＲ（文字認識処理）処理を行う。ＯＣＲ処理では、画像データを一文字毎の文字領域に分割し、その分割した文字領域に対して複写防止の文字列として登録しているパターンとのマッチングを行う。本実施形態においては、潜像文字を認識することを目的としているので、文字輪郭（文字エッジ検出）の判断においては周波数が変化している領域を文字輪郭として認識している。なおユーザが特定の複写防止の地紋処理が施された原稿用紙を用いるような場合には、その原稿用紙に施された潜像文字を、その文字サイズ、原稿用紙に占める位置、範囲とともに、あらかじめシステムメモリＡ１２に登録しておくことにより、文字認識の精度向上および処理速度を高速化することができる。
【００４７】
なお、図５に示す実施形態においては、「下地除去処理」、「網点処理」、「ＯＣＲ処理」の、３種類の処理を実行する例について説明したが、これに限られず、これらの処理の一部を省略するようにしてもよい。
【００４８】
［画像データ比較］
図８は、画像データ比較のサブルーチン処理を示す図である。同図に示す制御フローは図３のステップＳ３１の処理を示すものである。まず画像処理を行った第１の画像データと第２の画像データ、の画像領域をブロックに分割する（ステップＳ３１１）。図９は、画像領域の分割を説明する説明図である。同図に示すように、画像データの全領域（例えばＡ４判サイズ、Ａ３判サイズ）に渡って、横ｍ個、縦ｎ個の合計ｍ×ｎ個のブロックに分割する。
【００４９】
続いて第１の画像データと第２の画像データ（以下、単に両画像データと称す）の、分割したブロックＤ（１，１）〜Ｄ（ｍ，ｎ）に対して各ブロック内の画像データの濃度値を積分する（ステップＳ３１２−１、Ｓ３１２−２）。
【００５０】
ステップＳ３１３では、両画像データの対応するブロックの濃度積分値を比較し判断する。この判断は、画像判定手段として機能する制御部Ａ１により、両ブロックの差分を計算することにより、その差分が所定の範囲内であるかによりおこなう。所定の範囲内であれば（Ｓ３１３のＹｅｓ）、残りのブロックについてもステップＳ３１３の比較を繰り返し、全てのブロックについて比較が終了した場合、つまり全てのブロックの濃度差が所定の範囲内であった場合（ステップＳ３１４のＹｅｓ）、両画像データの潜像は同一と判断して（ステップＳ３１５）終了する。
【００５１】
一方、一つでも濃度差が所定の範囲内でない場合（Ｓ３１３のＮｏ）には、両画像データの潜像は異なると判断して（ステップＳ３１６）終了する。
【００５２】
なお、図８に示す実施形態では、両画像データの比較を濃度積分値の差分により判断する例について説明したが、これに限られず、濃度積分値の比率により判断するようにしてもよい。更に、一つでも差分が所定の範囲内でない場合には、潜像が異なると判断したが、隣接する複数のブロックが連続して異なった場合に、潜像が異なると判断してもよく、更に同連続する複数のブロックをＯＣＲ処理することにより文字認識して画像の差が潜像文字であると認識してもよい。
【００５３】
このように、原稿を読み取ることにより取得した第１の画像データと、第１の画像データに基づいて画像を形成された用紙を読み取ることにより取得した第２の画像データ、に対してそれぞれ複写防止の潜像を抽出する画像処理を行い、画像処理後の、第１の画像データと第２の画像データを比較して両者の異同を判定することにより、地紋処理がなされた原稿を複写する場合に、ユーザが意図せずに潜像が欠落してしまうことを防ぐ複写装置を得ることが可能となる。
【００５４】
図１０は、他の実施形態に係る複写装置の中央断面図である。同図に示す実施形態では、原稿読取部１と読取部５０とは共通のイメージセンサ１Ａを用いている。なお図１と共通する部分に関しては同符号を付すことにより説明に代える。
【００５５】
画像を形成された用紙は、定着装置１０を通過した後に、分岐部７０で上方に分岐して、読取部５０のスイッチバック搬送部５０９に搬送される。読取部５０の読み取り位置５０３で、ランプ５０Ｂにより光照射された用紙の画像は、ミラーユニット５０２、５０１とにより、ＣＣＤのイメージセンサ１Ａに結像され画像データが取得される。なお、ミラーユニット５０１は稼働ミラーであり、同図の実線位置から破線位置に約９０度回転させることにより、イメージセンサ１Ａを原稿読取部１のイメージセンサとしても機能させている。
【００５６】
画像データの読み取りが行われると、図示しないモータの回転方向を反転させ、スイッチバック搬送部の搬送ローラ対の回転方向を逆転させる。搬送ローラ対の逆転に伴い、用紙は逆方向に搬送され、分岐部７０を経由して排紙口７１から機外に排出される。
【００５７】
なお、本実施形態においては、用紙をスイッチバックさせて排紙口７１から機外に排出させる例について説明をしたが、これに限られず、スイッチバック搬送部５０９の先に別の排紙口を設けることにより、スイッチバックさせずに、用紙を機外に排出させるようにしてもよい。
【００５８】
このように、図１０に示す複写装置を用いて図３に示す制御フローを実施することにより、一つのイメージセンサ１Ａで、原稿と、画像形成された用紙、の両方の読み取りが行えることになるので、低コストで、複写防止の地紋処理がなされた原稿を複写する場合に、ユーザが意図せずに潜像が欠落してしまうことを防ぐ複写装置を得ることが可能となる。
【００５９】
図１１は、図３の制御フローの変形例を示したものである。同図においては、破線枠内以外の制御フローは、図３の制御フローと共通するので説明は省略する。図１０に示す複写装置では、一つのイメージセンサを用いて、原稿と画像形成された用紙の読み取りを行う構成としていることから、両方の読み取りを同時に行うことはできない。つまり、両方の読み取りのタイミングによっては、一方に待ち時間が生じるので生産性が低下する場合がある。図１１に示す制御フローは、その必要性を判断した上で画像形成された用紙の読み取りを行うものである。
【００６０】
ステップＳ２３Ｃでは、ステップＳ１４でユーザの出力設定に応じて「変換した第１の画像データ」に対して、潜像抽出の画像処理を実行する。潜像抽出の画像処理は、図５に示すサブルーチン処理と同じものである。
【００６１】
続いて、ステップＳ２３５で、潜像抽出の画像処理を行った画像データに対して、潜像があるか否かを判断する。この判断は、画像判定手段として機能する制御部Ａ１により行われる。判断の基準としては、例えば、図５に示した制御において、ＯＣＲ処理（Ｓ２３２）により文字認識がなされた場合に、潜像文字があると判断してもよく、または、網点処理（Ｓ２３３）において周波数変換した際にその周波数分布が、二つの周波数に分布のピークを有した場合に、潜像があると判断してもよい。
【００６２】
変換した画像データに潜像（潜像文字、潜像画像）がないと判断した場合には（ステップＳ２３５のＹｅｓ）、ステップＳ２１、ステップＳ２４以降の制御フローを実行する。
【００６３】
一方、「潜像がない」と判断しない場合には、言い換えると潜像があると判断した場合には（ステップＳ２３５のＮｏ）終了する。
【００６４】
なお、ステップＳ２３５又はＳ２３ａで潜像があるか否かの判断あるいは潜像抽出処理を行う際に、以下の処理を追加してもよい。（１）人間の視覚のコントラスト感度関数（Ｃｏｎｔｒａｓｔ  Ｓｅｎｓｉｔｉｖｉｔｙ  Ｆｕｎｃｔｉｏｎ）を考慮して、潜像が顕在化して人間に認識されるか否かを判断することにより潜像有無の判断、あるいは潜像の抽出を行う。（２）第１の画像データと第２の画像データとの濃度ヒストグラムの対比を行い、濃度が変化したかを判断する。このように（１）又は（２）の処理を追加することで、原稿の潜像が顕在化せずにそのまま忠実に再現してしまい、潜像の欠落は生じていないが人間の目には認識できない状態で複写されることを防止できる。
【００６５】
このように、第１の画像データに潜像があると判断した場合には、潜像は欠落せずに、画像形成されると判断できるので、画像形成された用紙の読み取りを省略することができるので、生産性低下を防ぐとともに、複写防止の地紋処理がなされた原稿を複写する場合に、ユーザが意図せずに潜像が欠落してしまうことを防ぐ複写装置を得ることが可能となる。
【図面の簡単な説明】
【００６６】
【図１】本実施形態に係る複写装置の中央断面図である。
【図２】複写装置の制御ブロック図である。
【図３】実施形態に係る複写装置の制御フローを示す図である。
【図４】操作表示部の表示画面の詳細図である。
【図５】潜像抽出の画像処理のサブルーチン処理を示す図である。
【図６】濃度分布のヒストグラムを示す図である。
【図７】濃度変換のγカーブを示す図である。
【図８】画像データ比較のサブルーチン処理を示す図である
【図９】画像領域の分割を説明する説明図である。
【図１０】他の実施形態に係る複写装置の中央断面図である。
【図１１】図３の制御フローの変形例を示したものである。
【図１２】複写防止の地紋処理の効果を説明する図である。
【符号の説明】
【００６７】
Ａ  複写装置
Ａ１  制御部（画像判定手段）
Ａ２  ＨＤＤメモリ
Ａ４  画像形成部（画像形成手段）
１  原稿読取部（原稿読取手段）
２  操作表示部（警告通知手段）
１Ａ  イメージセンサ
１Ｂ、５０Ｂ  ランプ
４Ｙ、４Ｍ、４Ｃ、４Ｋ  画像形成部
５０  読取部（読取手段）
７１  排紙口
【図１】
2008177890.tif 000003
【図２】
2008177890.tif 000004
【図３】
2008177890.tif 000005
【図４】
2008177890.tif 000006
【図５】
2008177890.tif 000007
【図６】
2008177890.tif 000008
【図７】
2008177890.tif 000009
【図８】
2008177890.tif 000010
【図９】
2008177890.tif 000011
【図１０】
2008177890.tif 000012
【図１１】
2008177890.tif 000013
【図１２】
2008177890.tif 000014